(57)【特許請求の範囲】
【請求項１】
茶畝を跨いで、その幅方向全面に亘って茶葉を摘採する全面型の茶葉摘採機であって、茶畝の全面に亘って摘採上面と略同じ曲率で湾曲、或いは茶畝の全面に沿って直線状に形成され、往復動することによって茶葉の刈り取りを行う刈り刃を備える摘採手段と、前記刈り刃によって刈り取られた茶葉に対して圧力風を吹き付けて車体後部に設けられている茶葉搬送手段又は茶葉収容手段に向かって茶葉を吹き飛ばすノズルを有する送風手段とを具備し、
前記送風手段は、車体のほぼ中央位置に配置された送風機に接続されて車体のほぼ中央位置を境に屈曲して左右に振り分けられた送風管に、前記刈り刃の幅方向に沿って対向する複数のノズルが設けられていることを特徴とする茶葉摘採機。
【請求項２】
茶畝を跨いで、その幅方向全面に亘って茶葉を摘採する全面型の茶葉摘採機であって、茶畝の全面に亘って摘採上面と略同じ曲率で湾曲、或いは茶畝の全面に沿って直線状に形成され、往復動することによって茶葉の刈り取りを行う刈り刃を備える摘採手段と、前記刈り刃によって刈り取られた茶葉に対して圧力風を吹き付けて車体後部に設けられている茶葉搬送手段又は茶葉収容手段に向かって茶葉を吹き飛ばすノズルを有する送風手段とを具備し、
前記送風手段は、車体のほぼ中央位置に配置された送風機に接続されて車体のほぼ中央位置を境に屈曲して左右に振り分けられた送風管に、前記刈り刃の幅方向に沿って対向する複数のノズルが設けられているとともに、該複数のノズルは前記刈り刃に対して上下方向及び前後方向のうち、少なくともどちらか一方を位置調整可能に設けられていることを特徴とする茶葉摘採機。
【請求項３】
茶畝を跨いで、その幅方向全面に亘って茶葉を摘採する全面型の茶葉摘採機であって、茶畝の全面に亘って摘採上面と略同じ曲率で湾曲、或いは茶畝の全面に沿って直線状に形成され、往復動することによって茶葉の刈り取りを行う刈り刃を備える摘採手段と、前記刈り刃によって刈り取られた茶葉に対して圧力風を吹き付けて車体後部に設けられている茶葉搬送手段又は茶葉収容手段に向かって茶葉を吹き飛ばすノズルを有する送風手段と、前記刈り刃を支持するサッシの上部に圧力風を上方へ向けて吹き付ける吹き出し孔を有する補助送風手段とを具備し、
前記送風手段は、車体のほぼ中央位置に配置された送風機に接続されて車体のほぼ中央位置を境に屈曲して左右に振り分けられた送風管に、前記刈り刃の幅方向に沿って対向する複数のノズルが設けられているとともに、該複数のノズルは前記刈り刃に対して上下方向及び前後方向のうち、少なくともどちらか一方を位置調整可能に設けられていることを特徴とする茶葉摘採機。
【請求項４】
茶畝を跨いで、その幅方向全面に亘って茶葉を摘採する全面型の茶葉摘採機であって、茶畝の全面に亘って摘採上面と略同じ曲率で湾曲、或いは茶畝の全面に沿って直線状に形成され、往復動することによって茶葉の刈り取りを行う刈り刃を備える摘採手段と、前記刈り刃によって刈り取られた茶葉に対して圧力風を吹き付けて車体後部に設けられている茶葉搬送手段又は茶葉収容手段に向かって茶葉を吹き飛ばすノズルを有する送風手段とを具備し、
前記送風手段は、車体のほぼ中央位置に配置された送風機に接続されて車体のほぼ中央位置を境に屈曲して左右に振り分けられた送風管に、前記刈り刃の幅方向に沿って対向する複数のノズルが設けられているとともに、該複数のノズルの吹き出し口は断面形状が縦長の楕円形状に形成されていることを特徴とする茶葉摘採機。
【発明の詳細な説明】
【０００１】
【発明の属する技術分野】
本発明は、茶葉摘採機に係り、特に刈り取られた茶葉に対して圧力風を吹き付ける送風手段を有する茶葉摘採機に関する。
【０００２】
【従来の技術】
従来、茶園管理の省力化及び効率化を図るべく、走行しながら茶葉の摘採等の作業を行う乗用型或いはレール軌道式台車等のバリカン茶葉摘採機が普及している。このような茶葉摘採機には、刈り取られた茶葉に対して送風管から圧力風を吹き付け、茶葉を収容手段に接続された搬送ダクトに向かって吹き飛ばす送風手段が設けられている。
【０００３】
【発明が解決しようとする課題】
しかしながら、従来の茶葉摘採機の送風手段は、摘採時期の初期などで新芽が短い場合には圧力風が茶葉の上方を通過してしまうために、圧力風が茶葉に当たらず、茶葉を搬送ダクトの入り口まで吹き飛ばすことができなくなり、その結果、茶葉の収容性が悪化するという問題点がある。
一方、摘採時期の後半などで新芽が長い場合に、送風管の吹き出し口底部に茶葉が当たって新芽を妨げて収容性を悪化させるため、従来は長い新芽に対応するように、送風管全体を上方へ上げた専用機を使用せざるを得なかった。
【０００４】
本発明は、このような諸事情に対処するために提案されたものであって、全面刈りの茶葉摘採機において、刈り取られた茶葉の収容性に優れた茶葉摘採機を提供することを目的とするものである。
【０００５】
【課題を解決するための手段】
（１）上記目的を達成するために、本発明は、茶畝を跨いで、その幅方向全面に亘って茶葉を摘採する全面型の茶葉摘採機であって、茶畝の全面に亘って摘採上面と略同じ曲率で湾曲、或いは茶畝の全面に沿って直線状に形成され、往復動することによって茶葉の刈り取りを行う刈り刃を備える摘採手段と、前記刈り刃によって刈り取られた茶葉に対して圧力風を吹き付けて車体後部に設けられている茶葉搬送手段又は茶葉収容手段に向かって茶葉を吹き飛ばすノズルを有する送風手段とを具備し、前記送風手段は、車体のほぼ中央位置に配置された送風機に接続されて車体のほぼ中央位置を境に屈曲して左右に振り分けられた送風管に、前記刈り刃の幅方向に沿って対向する複数のノズルが設けられている。
【０００８】
（２）茶畝を跨いで、その幅方向全面に亘って茶葉を摘採する全面型の茶葉摘採機であって、茶畝の全面に亘って摘採上面と略同じ曲率で湾曲、或いは茶畝の全面に沿って直線状に形成され、往復動することによって茶葉の刈り取りを行う刈り刃を備える摘採手段と、前記刈り刃によって刈り取られた茶葉に対して圧力風を吹き付けて車体後部に設けられている茶葉搬送手段又は茶葉収容手段に向かって茶葉を吹き飛ばすノズルを有する送風手段とを具備し、前記送風手段は、車体のほぼ中央位置に配置された送風機に接続されて車体のほぼ中央位置を境に屈曲して左右に振り分けられた送風管に、前記刈り刃の幅方向に沿って対向する複数のノズルが設けられているとともに、該複数のノズルは前記刈り刃に対して上下方向及び前後方向のうち、少なくともどちらか一方を位置調整可能に設けられている。
【００１０】
（３）茶畝を跨いで、その幅方向全面に亘って茶葉を摘採する全面型の茶葉摘採機であって、茶畝の全面に亘って摘採上面と略同じ曲率で湾曲、或いは茶畝の全面に沿って直線状に形成され、往復動することによって茶葉の刈り取りを行う刈り刃を備える摘採手段と、前記刈り刃によって刈り取られた茶葉に対して圧力風を吹き付けて車体後部に設けられている茶葉搬送手段又は茶葉収容手段に向かって茶葉を吹き飛ばすノズルを有する送風手段と、前記刈り刃を支持するサッシの上部に圧力風を上方へ向けて吹き付ける吹き出し孔を有する補助送風手段とを具備し、前記送風手段は、車体のほぼ中央位置に配置された送風機に接続されて車体のほぼ中央位置を境に屈曲して左右に振り分けられた送風管に、前記刈り刃の幅方向に沿って対向する複数のノズルが設けられているとともに、該複数のノズルは前記刈り刃に対して上下方向及び前後方向のうち、少なくともどちらか一方を位置調整可能に設けられている。
（４）茶畝を跨いで、その幅方向全面に亘って茶葉を摘採する全面型の茶葉摘採機であって、茶畝の全面に亘って摘採上面と略同じ曲率で湾曲、或いは茶畝の全面に沿って直線状に形成され、往復動することによって茶葉の刈り取りを行う刈り刃を備える摘採手段と、前記刈り刃によって刈り取られた茶葉に対して圧力風を吹き付けて車体後部に設けられている茶葉搬送手段又は茶葉収容手段に向かって茶葉を吹き飛ばすノズルを有する送風手段とを具備し、前記送風手段は、車体のほぼ中央位置に配置された送風機に接続されて車体のほぼ中央位置を境に屈曲して左右に振り分けられた送風管に、前記刈り刃の幅方向に沿って対向する複数のノズルが設けられているとともに、該複数のノズルの吹き出し口は断面形状が縦長の楕円形状に形成されている。
【００１１】
【発明の実施の形態】
以下、本発明に係る茶葉摘採機の好適な実施形態を添付図面を参照して説明する。
図１〜図３は本発明に係る茶葉摘採機の一実施形態を示した図であり、特に乗用型の茶葉摘採機に適用した場合を示している。図１に示される茶葉摘採機１は、車体本体２と、走行手段３と、摘採手段４と、送風手段５と、茶葉収容手段６等とを備えて構成されている。
【００１２】
図１に示されるように、車体本体２は、車体本体の構造材となる門型のフレーム２０と、フレーム２０の前側上部に取り付けられた乗車板２２等とを具備している。フレーム２０は、複数の縦フレーム２０Ａが立設されているとともに、縦フレーム２０Ａ間には横フレームが架けわたされることにより、門型形状に形成されている。
【００１３】
乗車板２２は、エンジンの重量等に対して十分な剛性を有する板材であり、左右前部の縦フレーム２０Ａの上部の間に取り付けられている。乗車板２２には、走行手段３の駆動源であるエンジン２４と、燃料タンク２６とが設置されている。さらに、乗車板２２には、図示しない操縦席が設けられているとともに、各種の操縦装置を備えた操縦部２８が配設されている。
【００１４】
左右の縦フレーム２０Ａの下部には、走行手段３が配設されており、この走行手段３は、駆動輪３２と従動輪３１とを有するとともに、これらの間にはゴムクローラ３３が掛け回されている。駆動輪３２と従動輪３１との間には補強フレーム３４が連結され、この補強フレーム３４には複数の転輪３５が枢着されており、ゴムクローラ３３を案内支持するようになっている。図１に示されるように、走行手段３は、エンジン２４の出力軸に連結されている油圧ポンプ３６によって駆動輪３２の回転・停止に必要な油圧が図示しない制御回路の指示信号に基づいて供給され、前進、後進、操舵制御を行う。
【００１５】
図２及び図３に示されるように、摘採手段４には、車体２の下部幅方向に延設された支持フレーム４１，４１の両端部に１対の側板４２，４２が懸垂支持されており、この側板４２，４２の下部前側に、所定の曲率のバリカン刃からなる刈り刃４３が、側板４２，４２間に架設されたサッシ４３Ａによって横方向に摺動自在に支持されて往復動可能になっている。摘採手段４の左右方向の一方側には、油圧ポンプ３６による油圧制御により回転駆動される油圧モータ４４が配設されており、油圧モータ４４の駆動力が減速機構４５を介して刈り刃４３を往復動させる際の動力として伝達されるようになっている。
【００１６】
また、摘採手段４は、中央の水平フレーム２０Ｂの下面に取り付けられたシリンダ等によって構成された昇降手段４６の下端に対して支持フレーム４１が接続され、シリンダ駆動によって摘採手段４全体を上下動させることが可能となっている。これにより、刈り刃４３を茶葉の成長度合いに合わせて最適な摘採高さに固定することができる。側板４２の前部には、茶葉を刈り刃４３まで導くためのガイド片４７が前方側へ突出して設けられている。
【００１７】
摘採手段４には、摘採された茶葉を茶葉収容手段６に向けて吹き飛ばすための送風手段５が設けられている。図１に示されるように、送風手段５は、送風機５１と、送風管５２と、ノズル５３等とを備えて構成されている。送風機５１は、ほぼ車体中央部に配置され、乗車板２２に立設された支持枠２５によって所定の高さ位置に支持されている。
【００１８】
送風機５１は、ルーツファンによって構成されており、その回転軸に固着された従動スプロケット５１Ａとエンジン２４の出力軸に取り付けられた駆動プーリ２４Ａとの間に掛け回されたベルト５１Ｂを介して回転駆動されるようになっている。左右２本の送風管５２Ａ，５２Ｂは、送風機５１の左右に分割された２つの吹き出し口５８Ａ，５８Ｂに、それぞれ接続されている。送風管５２Ａ，５２Ｂは、摘採手段４が上下動した場合に、送風機５１の高さ位置の変化を吸収できるように、中間で複数のパイプに分割されており、その分割されたパイプ同士を相互に嵌挿することにより伸縮可能になっている。
【００１９】
図１に示されるように、送風管５２Ａ，５２Ｂは、摘採手段４の上方で車体のほぼ中央位置を境に屈曲させられて左右に振り分けられ、刈り刃４３の曲率とほぼ同様な曲率で緩やかにカーブしている。送風管５２Ａ，５２Ｂの刈り刃４３に沿った部分は可撓性を有しており、ある程度の屈曲が可能となっている。ノズル５３は、送風管５２Ａ，５２Ｂの刈り刃４３の幅方向に沿った下面に、複数取り付けられており、その先端は刈り刃４３に向かって開口して、圧力風を吹き付けることができるようになっている。
【００２０】
図３に示されるように、送風管５２Ａ，５２Ｂの左右の端部には、送風管ステー５４が取り付けられている。この送風管ステー５４には、複数の丸孔５５が前後方向に等間隔で穿設されており、これらの丸孔５５のうち、所望の孔を選択した後、先端にネジ部を有するノブ５６を挿入し、側板４２に穿設された長孔４２Ａ，４２Ｂに沿って移動させながら、側板４２の裏面側からナット等で固定すれば、送風管ステー５４を所望の高さ位置で固定することができる。さらに、丸孔５５のうち、後側に穿設されている丸孔５５を選択して長孔４２Ａ，４２Ｂに固定すれば、送風管ステー５４を所定の範囲で前後動させることができる。
【００２１】
即ち、送風管ステー５４は、長孔４２Ａ，４２Ｂの縦方向の長さＬ１分だけ上下方向の位置調整が可能であり、又、丸孔５５の幅Ｌ２分だけ前後方向の位置調整が可能である。このため、送風管ステー５４の位置を調整することにより、送風管ステー５４に取り付けられている送風管５２Ａ，５２Ｂ、つまり、刈り刃４３に向かって開口しているノズル５３の位置を微調整することができ、茶葉の成育状態に合わせて、最適な方向で圧力風を吹き付けることが可能となる。
【００２２】
図４は摘採手段４の中央部を示す側面図、図５はその平面図である。これらの図に示されるように、摘採手段４中央部の中枠４８の水平部４８Ａには、送風管５２Ａ，５２Ｂの外周面を固定する固定金具５７及びステー５９を介して取り付けられている。この固定金具５７はクランプレバー５７Ａを有し、このクランプレバー５７Ａを緩めることにより、送風管５２Ｂの固定を解除することができ、送風管５２Ｂの高さ位置を変更できるようになっている。また、ステー５９は、中枠４８の水平部４８Ａに対して前後方向に公知の手段により移動可能である。したがって、ノズル５３の位置を２点鎖線に示すように、所定の範囲で前後及び上下方向に移動することができるようになる。更に、中枠４８には、モータ４９が積載されており、このモータ４９によって茶葉の摘採時に中枠４８の前方に滞留する茶葉に対して可動板５０を振動させることにより、左右に振り分ける。
【００２３】
図２に示されるように、摘採手段４と茶葉収容手段６との間には、刈り取られた茶葉を搬送する茶葉搬送手段７として、搬送ダクト７１が連結されている。搬送ダクト７１のノズル５３に対向する部分は、横方向に並列配置されたノズル５３を覆うように開口した形状となっており、ノズル５３から吹き付けられる圧力風によって吹き飛ばされる茶葉を効率よく導入して空気圧によって、搬送ダクト７１内を圧送することにより、茶葉収容手段６まで搬送するようになっている。なお、搬送ダクト７１は、蛇腹、或いは２分割されたパイプ材からなり、摘採手段４とともに上下動することができる。
【００２４】
図６はノズル５３の先端部の拡大図、図７は図６のVII-VII線に沿った断面図である。図７に示されるように、ノズル５３は、その先端部５３Ａの断面形状が、縦長の楕円形状に形成されている。これにより、ノズル５３から吹き出される圧力風は、上下方向に広がり易くなり、茶葉に対して的確に圧力風を当てることができるようになる。その結果、茶葉を搬送ダクト７１まで確実に吹き飛ばすことが可能となり、収容性が向上する。
【００２５】
このように、前述した実施形態によれば、摘採手段４の刈り刃４３に対して、ノズル５３の位置を刈り取られる茶葉に合わせて上下及び前後方向にその位置を微調整することができるので、車体後部に配設されている茶葉収容手段６に茶葉を搬送する搬送ダクト７１に向かって効率よく茶葉を吹き飛ばすことができ、茶葉の収容性を向上させることが可能となる。
【００２６】
次に、本発明に係る茶葉摘採機の他の実施形態について説明する。図８及び図９は、前記実施形態の図３及び図４にそれぞれ対応する図であり、送風手段５に補助送風手段８を設けてある点が前述した点と相違している。なお、その他の点は、前記実施形態と同様であるので、詳細な説明は省略する。
【００２７】
補助送風手段８は、サッシ８１と蛇腹管８２と、エルボ８３，８４等とから構成されている。サッシ８１は、アルミニウム等を材料として、幅方向に刈り刃４３とほぼ同様な曲率で湾曲し、且つ側面視くさび状に形成されている。このサッシ８１には、刈り刃４３が往復動可能に摺動自在に支持されている。また、サッシ８１の内部には、送風機５１から供給されるエアの通気路８５が予め形成されているとともに、図９に示されるように、上部にはエアの吹き出し孔８６が、刈り刃４３に沿って所定の間隔で複数穿孔されている。サッシ８１の両端には、通気路８５と連通する空気導入口８７が設けられ、この空気導入口８７には、送風管５２Ａ（図８には不図示），５２Ｂの側端部と連通するエルボ８３が接続されている。
【００２８】
このエルボ８３は、蛇腹管８２及びエルボ８４を介して送風管５２Ｂと連通しており、このため、送風機５１から送風管５２Ｂに供給されたエアの一部は、エルボ８４、蛇腹管８２、エルボ８３を通ってサッシ８１の通気路８５に導入されるようになる。また、エルボ８３，８４は、蛇腹管８２に対して嵌挿されているので、送風管ステー５８の位置調整に伴って、その長さの変化を吸収し得るようになっている。
【００２９】
サッシ８１の吹き出し孔８６から吹き出されたエアは、図９に示されるように、刈り刃４３によって刈り取られた茶葉Ａを上方に向かって浮き上がらせる。このため、例えば、朝露等で濡れている茶葉でも、サッシ８１に付着することなく、ノズル５３から吹きつけられる圧力風によって搬送ダクト７１の方向へと吹き飛ばすことができるようになり、茶葉の収容性を更に高めることができる。
【００３０】
以上説明した図８及び図９に示される補助送風手段８を有する茶葉摘採機によれば、ノズル５３の位置を刈り取られる茶葉に合わせて上下及び前後方向に微調整することができることに加えて、サッシ８１に付着した茶葉を上方へと浮き上がらせることができるので、この浮き上がった茶葉に対してノズル５３から圧力風を吹き付ければ、搬送ダクト７１に向かって確実に茶葉を吹き飛ばすことができ、茶葉の収容性を更に向上させることができる。
【００３１】
尚、図８及び図９における補助送風手段８では、送風機５１から供給されるエアを利用しているが、これに限らず、別途設置した送風機等からエアを供給するようにしてもよい。また、前述した実施形態では、走行手段３としてクローラ３３を用いた自走式の茶葉摘採機を対象に説明したが、これに限らず、レール式、歩行式、或いはキャタピラ、車輪を備えた摘採機等に適用可能なことは勿論である。更に、茶畝の全面に沿って直線状に刈り取りを行う水平型の全面刈りの摘採機にも適用可能である。加えて、茶葉を直接、茶葉収容手段に収容する方法にも適用可能である。
【００３２】
【発明の効果】
請求項１記載の発明によれば、送風手段は、車体のほぼ中央位置に配置された送風機に接続されて車体のほぼ中央位置を境に屈曲して左右に振り分けられた送風管に、刈り刃の幅方向に沿って対向する複数のノズルが設けられているので、圧力風が刈り刃の幅方向全体に亘って吹き出されるため、茶葉を収容手段の方へ的確に吹き飛ばすことができる。
【００３５】
請求項２、３記載の発明によれば、送風手段は、車体のほぼ中央位置に配置された送風機に接続されて車体のほぼ中央位置を境に屈曲して左右に振り分けられた送風管に、刈り刃の幅方向に沿って対向する複数のノズルを設けるとともに、該複数のノズルを刈り刃に対して上下方向、又は前後方向に位置調整可能に設け、又、サッシの上部に圧力風を上方へ向けて吹き付ける吹き出し孔を設けている。これにより、圧力風が刈り刃の幅方向全体に亘って吹き出されるため、刈り取られた茶葉を搬送手段又は収容手段に向けて確実に吹き飛ばすことができ、茶葉を無駄なく収容することが可能である。
請求項４記載の発明によれば、送風手段は、車体のほぼ中央位置に配置された送風機に接続されて車体のほぼ中央位置を境に屈曲して左右に振り分けられた送風管に、刈り刃の幅方向に沿って対向する複数のノズルが設けられているとともに、該複数のノズルの吹き出し口は断面形状が縦長の楕円形状に形成されているので、圧力風を刈り刃の幅方向全体に亘って吹き出すことができ、しかも、ノズルの吹き出し口による茶葉の押さえつけが少なくなると共に、ノズルから吹き出される圧力風は上下方向に広がり易くなり、茶葉に対して的確に圧力風を当てることができるから、茶葉を収容手段の方へ確実に吹き飛ばすことが可能となり、茶葉の収容性を向上させることができる。
【図面の簡単な説明】
【図１】一実施形態に係る茶葉摘採機の正面図である。
【図２】同じく、一実施形態に係る茶葉摘採機の側面図である。
【図３】一実施形態の要部である摘採手段と送風手段との関係を示す要部側面図である。
【図４】一実施形態の要部である摘採手段と送風手段との中央における関係を示す要部側面図である。
【図５】一実施形態の摘採手段の中央部を示す平面図である。
【図６】ノズルの先端部の拡大図である。
【図７】図６のVII-VII線に沿った断面図である。
【図８】補助送風手段を有する実施形態の摘採手段と送風手段との関係を示す要部側面図である。
【図９】補助送風手段を有する実施形態の摘採手段と送風手段との中央における関係を示す要部側面図である。
【符号の説明】
１      茶葉摘採機
２      車体本体
２０    門型フレーム
２０Ａ  縦フレーム
２０Ｂ  横フレーム
２２    乗車板
２４    エンジン
２４Ａ  駆動プーリ
２６    燃料タンク
２８    操縦部
３      走行手段
３１    従動輪
３２    駆動輪
３３    ゴムクローラ
３４    補強フレーム
３５    転輪
３６    油圧ポンプ
４      摘採手段
４１    支持フレーム
４２    側板
４２Ａ  ４２Ｂ  長孔
４３    刈刃
４３Ａ  サッシ
４４    油圧モータ
４５    減速機構
４６    昇降手段
４７    ガイド片
４８    中枠
４８Ａ  水平部
４９    モータ
５０    可動板
５      送風手段
５１    送風機
５１Ａ  従動スプロケット
５１Ｂ  ベルト
５２  ５２Ａ  ５２Ｂ  送風管
５３    ノズル
５３Ａ  先端部
５４    送風管ステー
５５    丸孔
５６    ノブ
５７    固定金具
５７Ａ  クランプレバー
５８Ａ  ５８Ｂ  吹き出し口
５９    ステー
６      茶葉収容手段
７      茶葉搬送手段
７１    搬送ダクト
８      補助送風手段
８１    サッシ
８２    蛇腹管
８３  ８４  エルボ
８５    通気路
８６    吹き出し孔
８７    空気導入口
【図１】
0003641399.tif 000002
【図２】
0003641399.tif 000003
【図３】
0003641399.tif 000004
【図４】
0003641399.tif 000005
【図５】
0003641399.tif 000006
【図６】
0003641399.tif 000007
【図７】
0003641399.tif 000008
【図８】
0003641399.tif 000009
【図９】
0003641399.tif 000010